(57)【要約】【課題】面渕皮あるいは顎渕皮等の強度を低下させず、丈夫で長持ちをさせ、安全性を維持することができる面防具を提供することを目的としている。【解決手段】顔面を保護する面金１１のほぼ顔の輪郭に臨む形状の座金１１ａに取り付けた面渕皮１２あるいは顎渕皮１４ａに、頭部及び肩部を保護する面布団１３、又は、喉部や首部を保護する顎部材１４の顎垂れ１４ｂを取り付け、面布団１３又は顎垂れ１４ｂの内側で座金１１ａを覆って顔面を当接させる当接部材２０を設けた剣道用面防具１０において、当接部材２０と面渕皮１２あるいは顎渕皮１４ａとの間の少なくとも一部に防水シート３０を介在させた。【選択図】　　図１
2004073567.tif 000002
【特許請求の範囲】
【請求項１】
顔面を保護する面金のほぼ顔の輪郭に臨む形状の座金に取り付けた面渕皮あるいは顎渕皮に、頭部及び肩部を保護する面布団、又は、喉部や首部を保護する顎部材の顎垂れを取り付け、前記面布団又は前記顎垂れの内側には前記座金を覆って前記顔面を当接させる当接部材を設けた剣道用面防具において、
前記当接部材と前記面渕皮あるいは前記顎渕皮との間の少なくとも一部に防水シートを介在させたことを特徴とする剣道用面防具。
【請求項２】
請求項１に記載の剣道用面防具において、前記当接部材は額を当接させる額当てと、顎を当接させる顎当てと、装着者の顔面周囲を当接させる内輪とを有していることを特徴とする剣道用面防具。
【請求項３】
請求項１又は２に記載の剣道用面防具において、前記防水シートは、一部を前記額当ての内部に延在させると共に、残部を前記内輪と前記面布団との間に配設させていることを特徴とする剣道用面防具。
【請求項４】
請求項１ないし３のいずれか１つに記載の剣道用面防具において、前記防水シートは、一部を前記顎当ての内部に延在させると共に、残部を前記内輪と前記顎渕皮との間に配設させていることを特徴とする剣道用面防具。
【請求項５】
請求項１ないし４のいずれか１つに記載の剣道用面防具において、前記防水シートを塩化ビニールにより形成していることを特徴とする剣道用面防具。
【発明の詳細な説明】
【０００１】
【発明の属する技術分野】
この発明は、剣道において竹刀等による打突から頭部、顔面、首（喉）部等を保護するために使用される剣道用面防具に関するものである。
【０００２】
【従来技術】
従来の剣道用面防具（以下、面防具という）は、面渕皮及び顎渕皮によって面布団と顎垂れとが、装着者の顔面を保護する面金に取り付けられている。
【０００３】
また、面布団及び顎垂れの内側には、面金を覆って顔面が面金等の硬いものに直接当たることを防止すると共に、顔面に面防具を安定して支持させる当接部材が取り付けられている。
【０００４】
このような面防具を面紐で装着して剣道の稽古や試合をすることで、竹刀の打突から顔や頭を保護している。
【０００５】
そして、この運動により面防具を装着した装着者は多量の汗をかき、その汗は面布団や当接部材に吸収された後に空気中に発散したり、他の部分に染み込んだり、或いは床に濡れたりしていた。
【０００６】
【発明が解決しようとする課題】
しかしながら、上述の面防具では、装着者が流した汗が当接部材に吸収され、さらに面渕皮あるいは顎渕皮に達すると、この面渕皮あるいは顎渕皮が水分を吸収して柔らかくなって強度が低下していた。また、面渕皮を面布団、あるいは、顎渕皮を顎垂れに取り付ける革紐も同様に強度が低下していた。
【０００７】
そのため、竹刀の打突を受けると摩擦や衝撃で面渕皮あるいは顎渕皮や革紐が切れて面防具の破損が生じていた。特に、顎垂れは、その付け根がへたって喉部等を打突の衝撃から十分に防護することができなくなるおそれが生じていた。
【０００８】
そこで、この発明は面渕皮あるいは顎渕皮等の強度を低下させずに長持ちさせ、安全性を維持することができる面防具を提供することを目的としている。
【０００９】
【課題を解決するための手段】
この目的を達成するために、請求項１にかかる発明は、顔面を保護する面金のほぼ顔の輪郭に臨む形状の座金に取り付けた面渕皮あるいは顎渕皮に、頭部及び肩部を保護する面布団、又は、喉部や首部を保護する顎部材の顎垂れを取り付け、面布団又は顎垂れの内側には座金を覆って顔面を当接させる当接部材を設けた剣道用面防具において、当接部材と面渕皮あるいは顎渕皮との間の少なくとも一部に防水シートを介在させたことを特徴としている。
【００１０】
請求項１の発明によれば、当接部材と面渕皮あるいは顎渕皮との間の少なくとも一部に防水シートが設けられているので、当接部材に染み込んだ汗が面渕皮あるいは顎渕皮にまで到達しにくくなり、面渕皮あるいは顎渕皮や顎部材等の強度低下を防ぐことができる。そして、竹刀等による打突の衝撃で面渕皮あるいは顎渕皮が破れたり、顎部材がへたる等の破損を防止することができる。
【００１１】
請求項２に係る発明は、請求項１に記載の剣道用面防具において、当接部材は額を当接させる額当てと、顎を当接させる顎当てと、装着者の顔面周囲を当接させる内輪とを有していることを特徴としている。
【００１２】
請求項２の発明によれば、請求項１の効用に加え、当接部材が額を当接させる額当てと、顎を当接させる顎当てと、顔面周囲を当接させる内輪とを有しているので、面防具を安定して顔面に支持させると共に、顔面の要所を保護しながら、効果的に汗を吸収することができる。
【００１３】
請求項３に係る発明は、請求項１又は２に記載の剣道用面防具において、防水シートは一部を額当ての内部に延在させると共に、残部を内輪と面布団との間に配設させていることを特徴としている。
【００１４】
請求項３の発明によれば、請求項１又は２の効用に加え、防水シートの一部を額当ての内部に延在させ、残部を内輪と面布団との間に配設させているので、あらかじめ額当てに防水シートを縫い付けておくことができて、内輪を取り付けることが容易に行える。また、面金の前側から防水シートの一部が見えて見栄えが悪くなることを防止できる。
【００１５】
請求項４に係る発明は、請求項１ないし３のいずれか１つに記載の剣道用面防具において、防水シートは一部を顎当ての内部に延在させると共に、残部を内輪と顎渕皮との間に配設させていることを特徴としている。
【００１６】
請求項４の発明によれば、請求項１ないし３のいずれかの効用に加え、防水シートの一部を顎当ての内部に延在させ、残部を内輪と顎渕皮との間に配設させているので、あらかじめ顎当てに防水シートを縫い付けておくことができて、内輪を取り付けることが容易に行える。また、面金の前側から防水シートの一部が見えて見栄えが悪くなることを防止できる。
【００１７】
請求項５に係る発明は、請求項１ないし４のいずれか１つに記載の剣道用面防具において、防水シートを塩化ビニールにより形成していることを特徴としている。
【００１８】
請求項５に係る発明は、請求項１ないし４のいずれかの効用に加え、防水シートが塩化ビニール製であるので、耐水性、耐久性に秀で、安価で縫い付けやすく、容易に入手可能な材料によって、面渕皮あるいは顎渕皮の防水が長期にわたって可能であると共に面防具の製作を容易に行うことができる。
【００１９】
【発明の実施の形態】
以下、実施の形態を示す図面に基づいてこの発明を説明する。
【００２０】
この発明の実施の形態は図１〜図５に示される。
【００２１】
面防具１０は、大きく面金１１、面渕皮１２、面布団１３、顎部材１４、顎渕皮１４ａ及び当接部材２０等から構成されている。
【００２２】
そして、装着した際に顔面の前側に位置する面金１１には、その周縁部に取り付けられた面渕皮１２又は顎渕皮１４ａを介して、面布団１３及び顎部材１４が取り付けられている。
【００２３】
また、面布団１３及び顎部材１４の内側には、面金１１を覆った当接部材２０が取り付けられ、この当接部材２０の少なくとも一部と、面渕皮１２、顎渕皮１４ａとの間には防水シート３０が介在されている。
【００２４】
面金１１は、鉄やチタン合金等の金属により形成され、ほぼ顔面の輪郭に臨む縦方向が長い楕円形の座金１１ａに、座金１１ａの中央で上部と下部とを垂直方向に連結する筋金１１ｃと、筋金１１ｃを水平方向に貫通して左右の座金１１ａに到達する上下方向に所定間隔を開けて平行に架け渡された複数の横金１１ｂとが取り付けられている（図１、図３参照）。なお、横金１１ｂ及び筋金１１ｃは、装着した際に顔面から離れるように外側に膨出するように湾曲されている。
【００２５】
座金１１ａの周囲には、横金１１ｂ、筋金１１ｃを避けながら図示しないビニール製の紐数本を芯にして帯状の布材１５が巻きつけられている。さらに、座金１１ａの顔面側の全周には、藁に帯状の木綿布等を巻き付けて環状に形成した藁束１６が、木綿布の布材１５により取り付けられている。
【００２６】
面渕皮１２は、幅広帯状に形成された天然皮革であり、長手側の側面部に横金１１ｂ、筋金１１ｃを避ける多数の切込み１２ａが設けられ、藁束１６の内周面１６ａから座金１１ａの外側面を通って藁束１６の外周面１６ｂまでを覆い、藁束１６を抱持している（図４参照）。
【００２７】
面布団１３は、頭部を覆う幅で帯状に形成された木綿布等からなり、一面に刺子が施されている。そして、この面布団１３は、藁束１６の外周面１６ｂと接するように図示しない木綿糸で縫い付けられ、面金１１の上部から両側部にかけて固着されると共に、両端部が垂れ下がっている。
【００２８】
顎部材１４は、面布団１３が固着されていない面金１１の下部近傍に取り付けられ、面渕皮１２と別部材にされた天然皮革からなる顎渕皮１４ａと、この顎渕皮１４ａを介して面金１１に固定される顎垂れ１４ｂとを備えている。
【００２９】
顎渕皮１４ａは、面渕皮１２で覆われていない位置の藁束１６の内周面１６ａから座金１１の外側面を覆い、顎垂れ１４ｂに達して縫い付けられている。なお、切込み１４ｃ等は、面渕皮１２と同様である。なお、この顎渕皮１４ａの両側部は、それぞれ面渕皮１２の端部と面金１１との間に入り込み、面渕皮１２と一体に固定されている。さらに、この顎渕皮１４ａは、垂れ下がっている面布団１３に革紐１４ｄによって固定されている（図２参照）。
【００３０】
顎垂れ１４ｂは、毛せんを芯材にして周囲に皮革等が縫い付けられ、さらに一面に刺子が施されている。
【００３１】
当接部材２０は、装着者の顔面の周囲に当接する内輪２１と、額に当接する額当て２２と、顎に当接する顎当て２３とを有している。
【００３２】
額当て２２は内側に綿が詰められた枕状の木綿布からなり、座金１１ａの上部近傍に設けられている。そして、顎当て２３は内側に綿が詰められた枕状の木綿布からなり、座金１１ａの下部近傍に設けられている。また、内輪２１は、内側に綿が詰められた筒状の木綿布が環状に作られており、額当て２２、顎当て２３及び座金１１ａの内側面に設けられた藁束１６の内側に設けられている。
【００３３】
防水シート３０は、面渕皮１２、顎渕皮１４ａと当接部材２０の少なくとも一部との間に介在させられている。この防水シート３０は当接部材２０の全周に対応して設けてもよいが、例えば装着者の額部や顎部等のような、顔面の上下の発汗しやすい場所や汗が溜まりやすい場所に限って設けてもよい。さらに、面渕皮１２、顎渕皮１４ａと当接部材２０とが接する部分に限って設けてもよい。また、この防水シート３０は、面渕皮１２、顎渕皮１４ａへ汗が染み込まない程度の狭い幅にしてもよい。
【００３４】
そして、この防水シート３０は、塩化ビニールやナイロンシート等からなり、縫製等によって破れない適度の厚み及び耐塩性を有することが望ましい。特に、防水シート３０を塩化ビニールで形成した場合では、耐水性、耐久性に秀で、安価で縫い付けやすく、容易に入手可能な材料で、面渕皮あるいは顎渕皮の防水が長期にわたって可能であると共に面防具の製作を容易に行うことができる。
【００３５】
また、防水シート３０は、図５に示すように、装着者の額部に対応する小さなもので、一部を額当て２２の内部に延在させると共に、残部を内輪２１と面布団１３との間に配設させていてもよい。
【００３６】
さらに、図示しないが、図５と同様に顎当て２３の内部に、装着者の顎部に対応する小さな防水シート３０の一部を延在させると共に、残部を内輪２１と顎渕皮１４ａとの間に配設させてもよい。
【００３７】
そして、このような他の実施例の額当て２２を取り付けるには、内部に防水シート３０の一部が延在され、残部が舌状に飛び出した額当て２２をあらかじめ作り、これを面金１１に装着すると共に、舌状に飛び出した残部を藁束１６及び面布団１３側に位置させておく。一方、図示しない顎当ても同様の取り付け方の例が考えられ、顎当てから飛び出した防水シート３０の残部を、顎渕皮１４ａ及び藁束１６を覆うように設けておく。
【００３８】
さらに、この状態で額当て２２及び図示しない顎当ての内側に当接するように、面渕皮１２の内側の全周にわたって、内輪２１を藁束１６に縫いつける。
【００３９】
内輪２１の下部外周面に取り付けられた用心垂れ１７は、顎垂れ１４ｂよりも大きく形成され、顎垂れ１４ｂを外れた竹刀から首部を保護するようにされたものである。
【００４０】
次に、この面防具１０の製造方法を説明する。
【００４１】
面防具１０を製造するには、まず、あらかじめ藁を束ねて環状に形成した藁束１６を面金１１の座金１１ａに沿わせ、その上から帯状の木綿布等からなる布材１５を巻きつけて、座金１１ａの内側面に藁束１６を固着する。
【００４２】
そして、この藁束１６の下部近傍の内周面１６ａに、あらかじめ水に浸して柔らかくしておいた顎渕皮１４ａの一端部を沿わせた状態で硬化させて固着するか、或いはさらに縫いつけて固着する。このとき、顎渕皮１４ａに形成した切込み１４ｃに横金１１ｂ及び筋金１１ｃを通して、この切込み１４ｃが形成された端部を固着する。なお、この顎渕皮１４ａには、あらかじめ顎垂れ１４ｂを取り付けておく。
【００４３】
次に、面布団１３が面金１１の上部から両側部にかけて位置するように、あらかじめ水に浸して柔らかくしておいた面渕皮１２の切込み１２ａのない長手側の側端部に、この面布団１３を図示しない木綿糸で縫い付ける。そして、面金１１の外側から面渕皮１２に形成された切込み１２ａに横金１１ｂ又は筋金１１ｃを通し、切込み１２ａが設けられた長手側の側端部を藁束１６に沿わせた状態で硬化させるか、又はさらに縫い付ける。
【００４４】
そして、面渕皮１２、顎渕皮１４ａの内側に防水シート３０を位置させてから、額当て２２、顎当て２３を面渕皮１２、顎渕皮１４ａ或いは藁束１６に縫い付ける。
【００４５】
さらに、内輪２１を藁束１６に縫い付けてから、内輪２１の外周面に用心垂れ１７を縫いつけ、最後に十分に乾燥させた面渕皮１２、顎渕皮１４ａに漆を塗布して完成する。なお、乾燥させることによって面渕皮１２、顎渕皮１４ａは硬化して硬くなり、さらに漆を塗布することによって面渕皮１２、顎渕皮１４ａを保護すると共に美観を高めている。
【００４６】
次に、この面防具１０の作用について説明する。
【００４７】
この面防具１０を図示しない面紐によって頭部に装着して剣道の試合や稽古をすると、面金１１によって顔面を保護し、面布団１３によって頭部及び肩部を保護し、喉部材１４によって喉部及び首部を保護することができる。
【００４８】
また、この面防具１０を装着した際に装着者の顔面には、内輪２１、額当て２２、顎当て２３がそれぞれ当接し、面金１１等の硬い部分が当たることを防いでいる。さらに、顔面にこれらの当接部材２０が当接することによって面防具１０を顔面に安定して装着することができる。
【００４９】
そして、運動によって装着者が多量の汗をかいた場合では、顔面に当接している内輪２１、額当て２２、顎当て２３にそれぞれ汗が染み込み、これらの当接部材２０の表面から汗が発散される。
【００５０】
内輪２１に染み込んだ汗は、そのまま発散するか、又は、例えば面布団１３等の内輪２１に当接している部分に染み込こんでから大気中に発散する。
【００５１】
そして、額当て２２に染み込んだ汗は、面渕皮１２に向かっても染み込んでいく。このとき、防止シート３０によって面渕皮１２に汗が染み込むことが防止され、面渕皮１２は常に乾燥した状態を保持することができる。そして、面渕皮１２が水分を含んで柔らかくなることが防止され、十分な強度を保持することができる。
【００５２】
さらに、顎当て２３に染み込んだ汗は、顎渕皮１４ａに向かっても染み込んでいく。このとき、防水シート３０によって顎渕皮１４ａに汗が染み込むことが防止される。そして、顎渕皮１４ａが水分を含んで柔らかくなることが防止され、十分な強度を保持することができる。
【００５３】
また、この防水シート３０によって、面渕皮１２、顎渕皮１４ａに取り付けられた革紐１４ｄ等にも汗が染み込むことが防止でき、十分な強度を保つことができる。
【００５４】
そして、面渕皮１２、顎渕皮１４ａや革紐１４ｄ等の強度が低下せず、面防具１０が破損したり、顎部材１４の付け根がへたって喉部に打突を十分に受けられなくなることが防止できて安全性を維持することが可能となる。
【００５５】
以上、この発明に係る実施の形態の一つを図面により詳述してきたが、具体的な構成は上述の実施の形態に限らず、この発明の要旨を逸脱しない範囲の設計の変更等があってもこの発明に含まれる。
【００５６】
例えば図５に示すように、あらかじめ防水シート３０の一部を内部に延在した額当て２２、或いは、顎当て２３の場合には、内輪２１を取り付けやすくなる上、面金１１側に防止シート３０がはみ出さないため、面金１１の外側から防水シートの一部が見えて見栄えが悪くなるということはない。
【００５７】
【発明の効果】
この発明によれば、面渕皮あるいは顎渕皮等を汗で濡らさず、皮革自体の強度を低下させたり破損させたりすることはなく、丈夫で長持ちさせ、且つ安全性を維持することができる面防具を提供することができる。
【図面の簡単な説明】
【図１】この発明に係る剣道用面防具の中央縦断面図である。
【図２】この発明に係る剣道用面防具の正面図である。
【図３】図２に示す剣道用面防具の後側の斜視図である。
【図４】図１のＡ部分の拡大図である。
【図５】この発明に係る剣道用面防具の他の実施例の図４と同様な要部拡大断面図である。
【符号の説明】
１０　　　　　　剣道用面防具
１１　　　　　　面金
１１ａ　　　　　座金
１２　　　　　　面渕皮
１３　　　　　　面布団
１４　　　　　　顎部材
１４ａ　　　　　顎渕皮
１４ｂ　　　　　顎垂れ
２０　　　　　　当接部材
２１　　　　　　内輪
２２　　　　　　額当て
２３　　　　　　顎当て
３０　　　　　　防水シート
【図１】
2004073567.tif 000003
【図２】
2004073567.tif 000004
【図３】
2004073567.tif 000005
【図４】
2004073567.tif 000006
【図５】
2004073567.tif 000007